(57)【要約】  【課題】  効率的に製造することができ、しかも色分割部の仕様又は個体差に関わらずに光変調を制御することができるプロジェクタを提供する。  【解決手段】  白色光を複数色の光に色分割するカラーホイール２０を有する色分割部２と、カラーホイール２０により色分割した光を画像データに基づいて光変調する光変調部１３を有し、光変調した変調光を投射するように構成してある投射部１とを備えるプロジェクタにおいて、色分割部２に、色分割部２の特性に関するデータを記憶している記憶部２２を備え、投射部１の制御部１０が、記憶部２２から前記データを読み出して、色分割される光の色と光変調する光の色とが対応するように、光変調部１３の光変調を制御するように構成する。【選択図】        図１
2006203366.tif 000002
【特許請求の範囲】
【請求項１】
白色光を複数色の光に色分割する色分割手段を有する色分割部と、前記色分割手段が色分割した光を画像データに基づいて光変調する光変調手段を有し、該光変調手段が光変調した変調光を投射するように構成してある投射部とを備えるプロジェクタにおいて、
前記色分割部は、
前記色分割手段の特性に関するデータを記憶している記憶手段を備え、
前記投射部は、
前記記憶手段が記憶しているデータに基づいて、色分割される光の色と光変調する光の色とが対応するように、前記光変調手段の光変調を制御する制御手段を備える
ことを特徴とするプロジェクタ。
【請求項２】
前記色分割手段は、
白色光を複数色の光に時系列で色分割するように構成してあり、
前記データは、
前記色分割手段が色分割する光の色数、色分割する各色の時系列上での時間比、又は色分割される光の波長と強度との関係に関するデータを含む
ことを特徴とする請求項１に記載のプロジェクタ。
【請求項３】
前記色分割手段は、
複数のカラーフィルタを周方向に配しており、所定箇所にマークを有するカラーホイールと、
前記マークの位置を検出する検出手段と
を備え、
前記データは、
前記マークに対する前記カラーフィルタの位置を示すデータを含み、
前記制御手段は、
前記検出手段の検出結果及び前記データに基づいて、時系列で色分割される光の色と光変調する光の色とが対応するように、光変調を制御するように構成してある
ことを特徴とする請求項１又は請求項２に記載のプロジェクタ。
【請求項４】
前記色分割手段は、
前記カラーホイールを回転させるモータを備え、
前記データは、
前記モータの回転数を制御するためのデータを含み、
前記制御手段は、
前記データに基づいて、前記モータの回転数を制御するように構成してある
ことを特徴とする請求項３に記載のプロジェクタ。
【請求項５】
前記制御手段は、
前記記憶手段が記憶しているデータに基づいて、前記モータの回転数を制御するための信号を前記色分割手段へ出力する手段を備え、
前記色分割手段は、
前記制御手段から出力された前記信号に応じた回転数で前記モータを回転駆動する駆動手段を備える
ことを特徴とする請求項４に記載のプロジェクタ。
【請求項６】
前記色分割部は、
色分割される光の波長と強度との関係に応じて、画像データに係る画像の画質を補正するための補正データを記憶しており、
前記投射部は、
前記補正データに基づいて、画質を補正した画像の画像データを生成する手段を備える
ことを特徴とする請求項１乃至請求項５のいずれか一つに記載のプロジェクタ。
【請求項７】
前記投射部及び前記色分割部は、
互いに分離可能に構成してある
ことを特徴とする請求項１乃至請求項６のいずれか一つに記載のプロジェクタ。
【請求項８】
白色光を複数色の光に色分割する色分割手段を備える色分割機において、
前記色分割手段の特性に関するデータを記憶している記憶手段を備え、
前記記憶手段が記憶しているデータを他の機器へ出力するように構成してある
ことを特徴とする色分割機。
【請求項９】
前記色分割手段は、
白色光を複数色の光に時系列で色分割するように構成してあり、
前記データは、
前記色分割手段が色分割する光の色数、色分割する各色の時系列上での時間比、又は色分割される光の波長と強度との関係に関するデータを含む
ことを特徴とする請求項８に記載の色分割機。
【請求項１０】
前記色分割手段は、
複数のカラーフィルタを周方向に配しており、所定箇所にマークを有するカラーホイールと、
前記マークの位置を検出する検出手段と
を備え、
前記データは、
前記マークに対する前記カラーフィルタの位置を示すデータを含む
ことを特徴とする請求項８又は請求項９に記載の色分割機。
【請求項１１】
前記色分割手段は、
前記カラーホイールを回転させるモータを備え、
前記データは、
前記モータの回転数を制御するためのデータを含む
ことを特徴とする請求項１０に記載の色分割機。
【請求項１２】
前記色分割手段は、
他の機器から出力された信号に応じた回転数で前記モータを回転駆動するようにしてある
ことを特徴とする請求項１１に記載の色分割機。
【請求項１３】
色分割される光の波長と強度との関係に応じて、画像データに係る画像の画質を補正するための補正データを記憶している
ことを特徴とする請求項８乃至請求項１２のいずれか一つに記載の色分割機。
【請求項１４】
白色光を複数色の光に色分割した光を画像データに基づいて光変調する光変調手段を備え、該光変調手段が光変調した変調光を投射するように構成してある投射機において、
他の機器が記憶しているデータに基づいて、色分割される光の色と光変調する光の色とが対応するように、前記光変調手段の光変調を制御する制御手段を備える
ことを特徴とする投射機。
【請求項１５】
前記制御手段は、
他の機器が記憶しているデータに基づいて、モータの回転数を制御するための信号を前記他の機器へ出力する手段を備える
ことを特徴とする請求項１４に記載の投射機。
【請求項１６】
他の機器が記憶している補正データに基づいて、画質を補正した画像の画像データを生成する手段を備える
ことを特徴とする請求項１４又は請求項１５に記載の投射機。
【請求項１７】
データを記憶する記憶手段を設けてあり、白色光を複数色の光に色分割する色分割部と、前記記憶手段が記憶したデータに基づいて、色分割した光を光変調して投射する投射部とを製作し、製作した前記投射部と前記色分割部とを接続してなるプロジェクタの製造方法であって、
前記色分割部を製作する際に、該色分割部の特性に関するデータを前記記憶手段に記憶させる
ことを特徴とするプロジェクタの製造方法。
【発明の詳細な説明】
【技術分野】
【０００１】
本発明は、例えばカラーホイールにより白色光を複数色の光に色分割した光を光変調して投射するプロジェクタ、該プロジェクタを構成する色分割機、投射機、及び前記プロジェクタの製造方法に関する。
【背景技術】
【０００２】
従来のプロジェクタは、白色光を、回転するカラーホイールの周方向に配された３色のカラーフィルタへ順次的に出射し、色分割された光を画像データに基づいて光変調して投射する。
【０００３】
プロジェクタの製造工程においては、白色光を複数色の光に色分割する色分割部と、色分割した光を光変調して投射する投射部とを別体で製作し、製作した投射部と色分割部とを組み立ててプロジェクタとする。ところで、色分割部が備えるカラーフィルタの分光特性は、色分割部の個体差によって異なるため、投射されて表示される画像の画質がプロジェクタによって異なるという問題が生じる。そこで、投射部と色分割部とを組み立てる際、カラーフィルタの分光特性に関するデータを投射部に設けられた記憶部へ書き込む作業を行う。
【０００４】
このように構成されるプロジェクタは、記憶部が記憶しているデータに基づいて、色分割された光の光変調を行うため、投射されて表示される画像の画質は、色分割部の個体差によって左右されない。
【特許文献１】特開２００３−２４１３０５号公報
【発明の開示】
【発明が解決しようとする課題】
【０００５】
しかしながら、従来のプロジェクタにおいては、色分割部と投射部とを組み立てる際、色分割部の個体差によって異なる分光特性に関するデータ、色分割部及び投射部の相互関係を誤りなく確認して、記憶部に前記データを書き込む必要がある。従って、単純に各部を組み立てる場合に比して、製造工程が煩雑であり、製造効率が悪いという問題があった。
【０００６】
一方、色分割部の仕様により、カラーホイールが備えるカラーフィルタの数又は分光特性は異なる。例えば、色分割部の仕様によっては、赤色、緑色、青色のカラーフィルタに加えて、暗緑色のカラーフィルタを配したカラーホイールを備える色分割部がある。従って、プロジェクタの色分割部を交換する場合、交換する度に色分割部の仕様に応じて光変調を制御するためのデータを記憶部に記憶させる必要がある。
【０００７】
本発明は、斯かる事情に鑑みてなされたものであり、色分割部の特性に関するデータを記憶している記憶部を色分割部に備えることにより、製造工程において、前記データ、色分割部及び投射部の相互関係を確認することなく、効率的に投射部と色分割部とを組み立てることができ、しかも、色分割部の仕様又は個体差によって色分割部の特性が異なる場合であっても、光変調を制御することができるプロジェクタ、該プロジェクタを構成する色分割機及び投射機を提供することを目的とする。
【０００８】
また、色分割する光の色数、色分割する各色の時系列上での時間比、又は色分割される光の波長と強度との関係に関するデータを記憶している記憶部を色分割部に備えることにより、前記色数が色分割部の仕様によって異なる場合、若しくは前記時間比又は前記波長と強度との関係が色分割部の仕様又は個体差によって異なる場合であっても、光変調を制御することができ、しかも、効率的に製造することができるプロジェクタ、該プロジェクタを構成する色分割機及び投射機を提供することを他の目的とする。
【０００９】
更に、光変調する光の色と色分割される光の色とを同期させるためにカラーホイールが有するマークに対するカラーフィルタの位置を示すデータを記憶している記憶部を色分割部に備えることにより、前記位置が色分割部の仕様又は個体差によって異なる場合であっても、光変調を制御することができ、しかも、効率的に製造することができるプロジェクタ、該プロジェクタを構成する色分割機及び投射機を提供することを他の目的とする。
【００１０】
更にまた、色分割部のモータの回転数を制御するためのデータを記憶している記憶部を色分割部に備え、前記データに基づいてモータの回転数を制御するように構成することにより、モータが色分割部の仕様によって異なる場合であっても、モータの回転数を制御することができ、しかも、効率的に製造することができるプロジェクタ、該プロジェクタを構成する色分割機及び投射機を提供することを他の目的とする。
【００１１】
更にまた、色分割部の記憶部が記憶しているデータに基づいて、モータの回転数を制御するための信号を制御部が色分割部へ出力し、色分割部は、出力された信号に応じた回転数でモータを回転駆動するように構成することにより、色分割部の特性が色分割部の仕様又は個体差によって異なる場合であっても、色分割部の特性に応じてモータを駆動させることができるプロジェクタ、該プロジェクタを構成する色分割機及び投射機を提供することを他の目的とする。
【００１２】
更にまた、色分割部が色分割する光の波長と強度との関係に応じて、画像データに係る画像の画質を補正するためのデータを記憶している記憶部を色分割部に備え、前記データに基づいて、画像の画質を補正するように構成することにより、前記波長と強度との関係が色分割部の仕様又は個体差によって異なる場合であっても、色分割部の仕様又は個体差に応じて、画像の画質を補正することができ、しかも、効率的に製造することができるプロジェクタ、該プロジェクタを構成する色分割機及び投射機を提供することを他の目的とする。
【００１３】
更にまた、投射部及び色分割部を互いに分離可能に構成することにより、色分割部が故障した場合、又は用途に応じて色分割部を交換する場合に、投射部の記憶部が記憶しているデータを書き直すことなく、簡易にプロジェクタが備える色分割部を他の色分割部に交換することができるプロジェクタ、該プロジェクタを構成する色分割機及び投射機を提供することを他の目的とする。
【００１４】
更にまた、記憶部を備えた色分割部を製作する際に、該記憶部に色分割部の特性に関するデータを記憶させることにより、別体で製作された色分割部及び投射部、前記データの相互関係を確認することなく、単純に投射部と色分割部とを接続して、効率的に製造することができるプロジェクタの製造方法を提供することを他の目的とする。
【課題を解決するための手段】
【００１５】
本発明に係るプロジェクタは、白色光を複数色の光に色分割する色分割手段を有する色分割部と、前記色分割手段が色分割した光を画像データに基づいて光変調する光変調手段を有し、該光変調手段が光変調した変調光を投射するように構成してある投射部とを備えるプロジェクタにおいて、前記色分割部は、前記色分割手段の特性に関するデータを記憶している記憶手段を備え、前記投射部は、前記記憶手段が記憶しているデータに基づいて、色分割される光の色と光変調する光の色とが対応するように、前記光変調手段の光変調を制御する制御手段を備えることを特徴とする。
【００１６】
本発明に係るプロジェクタは、前記色分割手段が、白色光を複数色の光に時系列で色分割するように構成してあり、前記データは、前記色分割手段が色分割する光の色数、色分割する各色の時系列上での時間比、又は色分割される光の波長と強度との関係に関するデータを含むことを特徴とする。
【００１７】
本発明に係るプロジェクタは、前記色分割手段が、複数のカラーフィルタを周方向に配しており、所定箇所にマークを有するカラーホイールと、前記マークの位置を検出する検出手段とを備え、前記データは、前記マークに対する前記カラーフィルタの位置を示すデータを含み、前記制御手段は、前記検出手段の検出結果及び前記データに基づいて、時系列で色分割される光の色と光変調する光の色とが対応するように、光変調を制御するように構成してあることを特徴とする。
【００１８】
本発明に係るプロジェクタは、前記色分割手段が、前記カラーホイールを回転させるモータを備え、前記データは、前記モータの回転数を制御するためのデータを含み、前記制御手段は、前記データに基づいて、前記モータの回転数を制御するように構成してあることを特徴とする。
【００１９】
本発明に係るプロジェクタは、前記制御手段が、前記記憶手段が記憶しているデータに基づいて、前記モータの回転数を制御するための信号を前記色分割手段へ出力する手段を備え、前記色分割手段は、前記制御手段から出力された前記信号に応じた回転数で前記モータを回転駆動する駆動手段を備えることを特徴とする。
【００２０】
本発明に係るプロジェクタは、前記色分割部が、色分割される光の波長と強度との関係に応じて、画像データに係る画像の画質を補正するための補正データを記憶しており、前記投射部は、前記補正データに基づいて、画質を補正した画像の画像データを生成する手段を備えることを特徴とする。
【００２１】
本発明に係るプロジェクタは、前記投射部及び前記色分割部が、互いに分離可能に構成してあることを特徴とする。
【００２２】
本発明に係る色分割機は、白色光を複数色の光に色分割する色分割手段を備える色分割機において、前記色分割手段の特性に関するデータを記憶している記憶手段を備え、前記記憶手段が記憶しているデータを他の機器へ出力するように構成してあることを特徴とする。
【００２３】
本発明に係る色分割機は、前記色分割手段が、白色光を複数色の光に時系列で色分割するように構成してあり、前記データは、前記色分割手段が色分割する光の色数、色分割する各色の時系列上での時間比、又は色分割される光の波長と強度との関係に関するデータを含むことを特徴とする。
【００２４】
本発明に係る色分割機は、前記色分割手段が、複数のカラーフィルタを周方向に配しており、所定箇所にマークを有するカラーホイールと、前記マークの位置を検出する検出手段とを備え、前記データは、前記マークに対する前記カラーフィルタの位置を示すデータを含むことを特徴とする。
【００２５】
本発明に係る色分割機は、前記色分割手段が、前記カラーホイールを回転させるモータを備え、前記データは、前記モータの回転数を制御するためのデータを含むことを特徴とする。
【００２６】
本発明に係る色分割機は、前記色分割手段が、他の機器から出力された信号に応じた回転数で前記モータを回転駆動するようにしてあることを特徴とする。
【００２７】
本発明に係る色分割機は、色分割される光の波長と強度との関係に応じて、画像データに係る画像の画質を補正するための補正データを記憶していることを特徴とする。
【００２８】
本発明に係る投射機は、白色光を複数色の光に色分割した光を画像データに基づいて光変調する光変調手段を備え、該光変調手段が光変調した変調光を投射するように構成してある投射機において、他の機器が記憶しているデータに基づいて、色分割される光の色と光変調する光の色とが対応するように、前記光変調手段の光変調を制御する制御手段を備えることを特徴とする。
【００２９】
本発明に係る投射機は、前記制御手段が、他の機器が記憶しているデータに基づいて、モータの回転数を制御するための信号を前記他の機器へ出力する手段を備えることを特徴とする。
【００３０】
本発明に係る投射機は、他の機器が記憶している補正データに基づいて、画質を補正した画像の画像データを生成する手段を備えることを特徴とする。
【００３１】
本発明に係るプロジェクタ製造方法は、データを記憶する記憶手段を設けてあり、白色光を複数色の光に色分割する色分割部と、前記記憶手段が記憶したデータに基づいて、色分割した光を光変調して投射する投射部とを製作し、製作した前記投射部と前記色分割部とを接続してなるプロジェクタの製造方法であって、前記色分割部を製作する際に、該色分割部の特性に関するデータを前記記憶手段に記憶させることを特徴とする。
【００３２】
本発明によれば、色分割部の記憶手段が、仕様又は個体差によって異なる色分割手段の特性に関するデータを記憶しているため、投射部と色分割部とを組み立てる際に、前記データ、投射部及び色分割部の相互関係を確認して前記データを、投射部に記憶させる作業は不要である。また、投射部の制御手段は、色分割部の記憶手段が記憶している前記データを読み出し、読み出したデータに基づいて、光変調手段の光変調を色分割部の特性に応じて制御するため、色分割部の特性が仕様又は個体差によって異なる場合であっても、光変調を制御することができる。従って、色分割部と投射部とを単純に組み立てることにより、色分割手段の特性に応じた光変調を制御することができるプロジェクタが構成される。
【００３３】
本発明によれば、色分割する光の色数、色分割する各色の時系列上での時間比、色分割される光の波長と強度との関係に関するデータを、色分割部の記憶手段が記憶している。投射部の制御手段は、記憶手段が記憶している前記データを読み出し、読み出したデータに基づいて光変調を制御する。つまり、制御手段は、色分割部の仕様によって異なる前記色数、色分割部の仕様又は個体差によって異なる前記時間比、又は前記波長と強度との関係に応じて、色分割される光の色と、光変調する光の色とが同期するように光変調部の光変調を制御する。
【００３４】
本発明によれば、マークに対するカラーフィルタの位置を示すデータを、色分割部の記憶手段が記憶している。そして、投射部の制御手段は、記憶手段が記憶している前記データを読み出し、読み出したデータとマークの位置を検出する検出手段の検出結果とに基づいて光変調を制御する。つまり、色分割部の仕様又は個体差によって異なるカラーフィルタの位置に応じて、光変調を制御する。
【００３５】
本発明によれば、モータの回転数を制御するためのデータを色分割部の記憶手段が記憶している。そして、投射部の制御手段は、記憶手段が記憶している前記データに基づいてモータの回転数を制御する。つまり、制御手段は、色分割部の仕様によって異なるモータに応じて、モータの回転数を制御する。
【００３６】
本発明によれば、制御手段は、色分割部の記憶手段が記憶しているデータを読み出し、読み出したデータに基づいて、モータの回転数を制御するための信号を色分割手段へ出力する。そして、色分割手段は、制御手段から出力された信号に応じた回転数でモータを回転駆動する。つまり、制御手段は、仕様によって異なる色分割部の特性に応じて、モータを駆動する。
【００３７】
本発明によれば、色分割される光の波長と強度との関係に応じて、画像データに係る画像の画質を補正するためのデータを、色分割部が記憶している。投射部は、前記データに基づいて画像の画質を補正し、制御手段は、補正した画像に係る画像データに基づいて、色分割した光を光変調する。従って、色分割される光の波長と強度との関係が色分割部の仕様又は個体差によって異なる場合であっても、投射部は、前記波長と強度との関係に応じて、画像の画質を補正する。
【００３８】
本発明によれば、投射部及び色分割部は互いに分離可能に構成されている。色分割手段の特性は、色分割部の仕様又は個体差によって異なるが、色分割部の記憶手段が、色分割手段の特性に関するデータを記憶している。従って、プロジェクタが備える色分割部を、他の色分割部に交換する場合、投射部に前記他の色分割部に応じたデータを記憶させる作業は不要であり、単純に投射部と色分割部とを分離し、組み立てることにより、簡易に色分割部を交換することができ、しかも、制御手段は、色分割の特性に応じた光変調、又はモータの回転数の制御を行う。また、投射部は、色分割部の特性に応じた画質の補正を行う。
【００３９】
本発明によれば、データを記憶する記憶手段を備える色分割部を製作する際に、該色分割部の特性に関するデータを前記記憶手段に記憶させる。そして、製作された投射部と色分割部とを接続してプロジェクタとする。従って、別体で製作された投射部と色分割部とを接続する際に、前記データ、投射部及び色分割部の相互関係を確認する必要はなく、効率的にプロジェクタを製造することができる。
【発明の効果】
【００４０】
本発明にあっては、製造工程において、色分割部の特性に関するデータ、別体で製作された色分割部及び投射部の相互関係を確認することなく、効率的に投射部と色分割部とを組み立てることができ、しかも色分割部の仕様又は個体差によって色分割部の特性が異なる場合であっても、光変調を制御することができる。
【００４１】
本発明にあっては、色分割する光の色数が色分割部の仕様によって異なる場合、若しくは色分割する各色の時系列上での時間比、又は色分割される光の波長と強度との関係が色分割部の仕様又は個体差によって異なる場合であっても、光変調を制御することができ、しかも単純に投射部と色分割部とを組み立てることにより、効率的にプロジェクタを製造することができる。
【００４２】
本発明にあっては、マークに対するカラーフィルタの位置が色分割部の仕様又は個体差によって異なる場合であっても、光変調を制御することができ、しかも単純に投射部と色分割部とを組み立てることにより、効率的にプロジェクタを製造することができる。
【００４３】
本発明にあっては、モータが色分割部の仕様によって異なる場合であっても、モータの回転数を制御することができ、しかも単純に投射部と色分割部とを組み立てることにより、効率的にプロジェクタを製造することができる。
【００４４】
本発明にあっては、色分割部の特性が色分割部の仕様又は個体差によって異なる場合であっても、色分割部の特性に応じてモータを駆動させることができる。
【００４５】
本発明にあっては、色分割される光の波長と強度との関係が色分割部の仕様又は個体差によって異なる場合であっても、色分割部の仕様又は個体差に応じて、画像の画質を補正することができ、しかも単純に投射部と色分割部とを組み立てることにより、効率的にプロジェクタを製造することができる。
【００４６】
本発明にあっては、投射部の記憶手段が記憶しているデータを書き直すことなく、単純に投射部と色分割部とを分離し、組み立てることにより、簡易にプロジェクタが備える色分割部を、他の色分割部に交換することができる。
【００４７】
本発明にあっては、別体で製作された色分割部及び投射部、前記データの相互関係を確認することなく、単純に投射部と色分割部とを接続して、効率的に製造することができる。
【発明を実施するための最良の形態】
【００４８】
（実施の形態１）
以下、本発明をその実施の形態を示す図面に基づいて詳述する。
図１は、実施の形態１に係るプロジェクタのブロック図、図２はプロジェクタの略示分解斜視図、図３は、プロジェクタの略示斜視図である。図中１は、色分割された光を光変調して投射する投射機であり、投射機１に白色光を時系列で色分割する色分割機２が接続されて、ＤＬＰ（Ｄｉｇｉｔａｌ  Ｌｉｇｈｔ  Ｐｒｏｃｅｓｓｉｎｇ）方式のプロジェクタが構成されている。
【００４９】
投射機１は、キセノンランプ又は超高圧水銀ランプ等の白色光源１２を備えている。色分割機２は、図４に示すように赤色、緑色、及び青色の光を夫々透過する扇状のカラーフィルタ２０ａ、２０ｂ、２０ｃを３等配したカラーホイール２０を備えており、カラーホイール２０は、白色光源１２の投光域がカラーフィルタ２０ａ、２０ｂ、２０ｃの回転通過域に位置するように配置されている。
【００５０】
図４は、白色光源１２側から見たカラーホイール２０の略示正面図である。カラーホイール２０は、色分割する光の色と、後述する光変調部１３が光変調する光の色とを同期させるためのマーク２０ｄを周縁部の適宜箇所、例えば赤色のカラーフィルタ２０ａ及び青色のカラーフィルタ２０ｃの境界部分近傍に有している。
【００５１】
カラーホイール２０の中心部には、モータ駆動部２１ａにより回転駆動されるモータ２１の出力軸が接続されており、モータ駆動部２１ａは、モータ２１を白色光源１２側から見て時計周りに３６００ｒ．ｐ．ｍ．で等速回転させる。投射機１が備える制御部１０は、モータ駆動部２１ａによるモータ２１の回転を制御する。
【００５２】
制御部１０には、ビデオ信号、例えば３０ＦＰＳのＮＴＳＣ規格のビデオ信号が入力される入力部１１が接続されており、制御部１０は、入力部１１に入力したビデオ信号に基づいて後述の光変調を行うためのプログラムを記憶している図示しないＲＯＭ、ＲＯＭが記憶したプログラムを読み出して実行するＣＰＵ、一時記憶用のＲＡＭ、タイマー等を備えている。また、制御部１０には、電源スイッチ１６が接続されており、制御部１０は、電源スイッチ１６の操作状態を検出することができるように構成されている。
【００５３】
色分割機２は、回転しているカラーホイール２０が有するマーク２０ｄが検出域にあることを検出するフォトインタラプタのような検出部２４を備えており、検出部２４は、マーク２０ｄが検出域にある場合、ローレベルの信号を制御部１０へ出力し、マーク２０ｄが検出域外にある場合、ハイレベルの信号を制御部１０へ出力する。
【００５４】
カラーホイール２０が等速回転している場合、白色光はカラーフィルタ２０ａ、２０ｂ、２０ｃに順次的に入射し、白色光は時系列で色分割される。投射機１は、光変調部１３を備えており、カラーホイール２０により色分割された光は、投射機１が備える光変調部１３へ出射される。
【００５５】
光変調部１３は、ＤＭＤ（Ｄｉｇｉｔａｌ  Ｍｉｃｒｏｍｉｒｒｏｒ  Ｄｅｖｉｃｅ）、及びＤＭＤを駆動するＤＭＤ駆動部を備えている。ＤＭＤは、画像データに係る画像の各ドット、例えばＳＶＧＡ規格の６００×８００のドットに対応付けられた複数の微小可動ミラーを備えている。ＤＭＤ駆動部は、色分割機２から出射された光が、投射光学系１４へ又は投射光学系１４外へ選択的に反射するように、各微小可動ミラーを選択的に±１０度回転させる。ＤＭＤに入射した光は、ＤＭＤの微小可動ミラーにより光変調、即ち反射され、光変調された変調光は、投射光学系１４へ出射される。
【００５６】
投射光学系１４は、光変調部１３にて光変調された変調光を投射するための投射レンズ、焦点を調整する焦点調整レンズ、及び投射される変調光の広がりを調整するズームレンズ等を備えており、入射した変調光は各レンズを通じて被投射体Ｓに投射され、その結果、入力部に入力したビデオ信号の画像が被投射体Ｓに色時分割表示される。
【００５７】
また、色分割機２は、ＥＰＲＯＭ又はＰＲＯＭ等の記憶部２２を備えており、記憶部２２は、白色光源１２側から見たマーク２０ｄの時計回り側端部の位置を基準として、カラーフィルタ２０ａ、２０ｂ、２０ｃの位置を白色光源１２側から見た反時計周りの角度位置として記憶している。より具体的には、制御部１０は、カラーフィルタ２０ｃとカラーフィルタ２０ａとの境界部分のカラーフィルタ２０ａ寄りの境界位置θ１、カラーフィルタ２０ａとカラーフィルタ２０ｂとの境界部分のカラーフィルタ２０ｂ寄りの境界位置θ２、カラーフィルタ２０ｂとカラーフィルタ２０ｃとの境界部分のカラーフィルタ２０ｃ寄りの境界位置θ３を夫々記憶している。また、記憶部２２は、カラーフィルタ２０ｃとカラーフィルタ２０ａとの境界部分のカラーフィルタ２０ｃ寄りの境界位置θ０を記憶している。
【００５８】
また、記憶部２２は、ビデオ信号をデジタル化した画像データが有するＲＧＢの色成分を、各カラ−フィルタ２０ａ、２０ｂ、２０ｃの分光特性に応じて色変換するための変換係数を記憶している。変換係数は、ＲＧＢの色成分と、各カラーフィルタ２０ａ、２０ｂ、２０ｃの分光特性に対応する色成分とを線形変換するための係数である。カラーフィルタ２０ａ、２０ｂ、２０ｃの分光特性は、製造される色分割機２の仕様又は個体差によって異なるため、記憶部２２は製造される色分割機２毎に異なる変換係数を記憶している。例えば、色分割機２の仕様によっては、赤色、緑色、青色、及び暗緑色のカラーフィルタを配したカラーホイールを備えているため、ＲＧＢの色成分を有する画像データを、ＲＧＢ及び暗緑色の色成分を有する画像データに変換する必要がある。
【００５９】
また、実施の形態１では、カラーホイール２０は、ＲＧＢの色成分に対応する赤色、緑色、及び青色のカラーフィルタ２０ａ、２０ｂ、２０ｃを配しているが、色分割機２の個体差によってカラーフィルタ２０ａ、２０ｂ、２０ｃの分光特性は異なるため、カラーホイール２０ａ、２０ｂ、２０ｃの分光特性に応じて、ＲＧＢの色成分を色変換、つまり色補正する。より具体的には、ＲＧＢの各色成分夫々に乗じて色補正する３つの変換係数と、赤色、緑色、及び青色のカラーフィルタ２０ａ、２０ｂ、２０ｃ夫々の透過率との積の相対比が、白色画像を表示可能に設定された基準相対値と一致するように、変換係数は特定されている。
【００６０】
更に、記憶部２２は、カラーフィルタ２０ａ、２０ｂ、２０ｃの分光特性に応じて、画像データに係る画像の画質を補正するためのデータ、例えばガンマ値を記憶している。ガンマ値は、色分割機２の仕様又は個体差によって異なる。
【００６１】
投射機１は、制御部１０が接続されているレセプタクル１５を備えており、色分割機２は、投射機１のレセプタクル１５に着脱自在に接続されるプラグ２３を備えている。プラグ２３には、モータ駆動部２１ａ、記憶部２２、及び検出部２４が接続されており、検出部２４は、プラグ２３及びレセプタクル１５を介して、検出結果に応じた信号を制御部１０へ出力する。制御部１０は、検出部２４から出力される信号レベルの立ち下がりを検出するように構成してある。また、制御部１０は、レセプタクル１５及びプラグ２３を介して、モータ２１の回転を制御する信号をモータ駆動部２１ａへ出力する。更に、制御部１０は、レセプタクル１５及びプラグ２３を介して、記憶部２２からデータを読み出し、読み出したデータをＲＡＭに記憶させるようにしてある。
【００６２】
図５は、光変調及び投射に係る制御部１０の処理手順を示すフローチャートである。電源スイッチ１６がオンになった場合、制御部１０は、記憶部２２から境界位置θ０、θ１、θ２、θ３、変換係数、ガンマ値等の色分割機２の特性に関するデータを読み出して、読み出したデータを一時記憶用のＲＡＭに書き込む（ステップＳ１）。そして、制御部１０は、モータ駆動部２１ａへ起動信号を出力する（ステップＳ２）。モータ駆動部２１ａは、前記起動信号を受けた場合、モータ２１を３６００ｒ．ｐ．ｍ．で回転駆動させる。
【００６３】
次いで、制御部１０は、入力部１１に入力したビデオ信号、例えばＮＴＳＣ規格のビデオ信号を、ＲＧＢの色成分を有する画像データに変換し（ステップＳ３）、ＲＡＭに記憶した変換係数に基づいて、画像データのＲＧＢ色成分を色変換する（ステップＳ４）。そして、制御部１０は、ＲＡＭに記憶させたガンマ値に基づいて、画像データに係る画像のガンマ補正を行う（ステップＳ５）。
【００６４】
次いで、制御部１０は、検出部２４から出力される信号の立ち下がりを検出したか否かを判定する（ステップＳ６）。信号の立ち下がりを検出した場合（ステップＳ６：ＹＥＳ）、制御部１０は、タイマーをリセットして、計時を開始する（ステップＳ７）。
【００６５】
ステップＳ７の処理を終えた場合、又はステップＳ６において信号の立ち下がりを検出していないと判定した場合（ステップＳ６：ＮＯ）、制御部１０は、光変調に係るサブルーチンを呼び出し（ステップＳ８）、光変調部１３の光変調を制御する。
【００６６】
図６は、光変調に係るサブルーチンの処理手順を示すフローチャートである。光変調に係るサブルーチンが呼び出された場合、制御部１０は、タイマーの計時結果を検出し（ステップＳ８１）、タイマーがＴ１＝（θ１／３６０）／６０秒を計時しているか否かを判定する（ステップＳ８２）。境界位置θ１は、カラーフィルタ２０ｃとカラーフィルタ２０ａとの境界部分のカラーフィルタ２０ａ寄りの位置であり、Ｔ１は、赤色の光が光変調部１３へ出射され始める時間である。
【００６７】
タイマーがＴ１秒を計時していると判定した場合（ステップＳ８２：ＹＥＳ）、制御部１０は、１フレーム分の画像データのＲ信号を光変調部１３が備えるＤＭＤ駆動部へ出力する（ステップＳ８３）。Ｒ信号を受けたＤＭＤ駆動部は、連続パルスを、各パルスのパルス幅がＲ信号の階調値に比例するようにパルス幅変調して、ＤＭＤへ継続的に出力する。ＤＭＤは、パルス幅変調された連続パルスを受けた場合、画像の各ドットに対応する微小可動ミラー夫々をパルス幅に応じて微小回転させ、色分割された光を選択的に投射光学形へ反射する。
【００６８】
ステップＳ８２においてタイマーがＴ１秒を計時していないと判定した場合（ステップＳ８２：ＮＯ）、又はステップＳ８３の処理を終えた場合、制御部１０は、タイマーがＴ２＝（θ２／３６０）／６０秒を計時しているか否かを判定する（ステップＳ８４）。境界位置θ２は、カラーフィルタ２０ａとカラーフィルタ２０ｂとの境界部分のカラーフィルタ２０ｂ寄りの位置であり、Ｔ２は、緑色の光が光変調部１３へ出射され始める時間である。
【００６９】
タイマーがＴ２秒を計時していると判定した場合（ステップＳ８４：ＹＥＳ）、制御部１０は、画像データのＧ信号を光変調部１３へ出力する（ステップＳ８５）。タイマーがＴ２秒を計時していないと判定した場合（ステップＳ８４：ＮＯ）、又はステップＳ８５の処理を終えた場合、制御部１０は、タイマーがＴ３＝（θ３／３６０）／６０秒を計時しているか否かを判定する（ステップＳ８６）。境界位置θ３は、カラーフィルタ２０ｂとカラーフィルタ２０ｃとの境界部分のカラーフィルタ２０ｃ寄りの位置であり、Ｔ３は、青色の光が光変調部１３へ出射され始める時間である。
【００７０】
タイマーがＴ３秒を計時していると判定した場合（ステップＳ８６：ＹＥＳ）、制御部１０は、画像データのＢ信号を光変調部１３へ出力する（ステップＳ８７）。ステップＳ８６においてタイマーがＴ３秒を計時していないと判定した場合（ステップＳ８６：ＮＯ）、又はステップＳ８７の処理を終えた場合、制御部１０は、光変調に係るサブルーチンの処理を終える。
【００７１】
光変調に係るサブルーチンの処理を終えた場合、図５に示すように、制御部１０は、タイマーの計時結果を検出し、タイマーがＴ０＝（θ０／３６０）／６０秒を計時しているか否かを判定する（ステップＳ９）。Ｔ０秒を計時していると判定した場合（ステップＳ９：ＹＥＳ）、制御部１０は、処理をステップＳ２へ戻す。
【００７２】
Ｔ０秒を計時していないと判定した場合（ステップＳ９：ＮＯ）、制御部１０は、電源スイッチ１６の操作状態を検出し、電源スイッチ１６がオンの状態にあるか否かを判定する（ステップＳ１０）。電源スイッチ１６がオンの状態にあると判定した場合（ステップＳ１０：ＹＥＳ）、制御部１０は、処理をステップＳ６へ戻す。電源スイッチ１６がオンの状態にないと判定した場合（ステップＳ１０：ＮＯ）、制御部１０は、光変調及び投射に係る処理を終える。
【００７３】
図７は、検出部２４が制御部１０へ出力する信号の時間変化と、色分割機２が色分割する光の色の時間変化との関係を示すタイミングチャートである。カラーホイール２０が３６００ｒ．ｐ．ｍ．で等速回転している場合、図７（ａ）に示すように、１／６０秒周期で、ローレベルの信号が検出部２４から制御部１０へ出力される。
【００７４】
そして、図７（ｂ）に示すように、検出部２４からローレベルの信号が出力される時を基準とした時間Ｔ１秒から、赤色の光が色分割機２から光変調部１３へ出射され、制御部１０は、時間Ｔ１秒から、Ｒ信号を光変調部１３へ出力する。同様にして、時間Ｔ２秒又はＴ３秒から、緑色又は青色の光が色分割機２から光変調部１３へ出射され、制御部１０は、時間Ｔ２秒又はＴ３秒から、Ｇ信号又はＢ信号を光変調部１３へ出力する。
【００７５】
次に、プロジェクタの製造方法を説明する。プロジェクタは、図２及び図３に示すように、投射機１と色分割機２とを別体で製作し、製作した投射機１と色分割機２とを接続することにより構成される。
【００７６】
まず、カラーホイール２０、モータ２１、記憶部２２等を略直方体の筐体２５に収容し、筐体２５の底部にプラグ２３を配設して色分割機２を製作する。
【００７７】
そして、カラーホイール２０が有するマーク２０ｄの位置を基準として、各カラーフィルタ２０ａ、２０ｂ、２０ｃの境界位置θ０、θ１、θ２、θ３を測定する。例えば、等速回転するカラーフィルタ２０ａ、２０ｂ、２０ｃを透過する光の強度と、検出部２４から出力される信号とをモニタし、検出部２４からのローレベルの信号が出力される時間と、光の強度が変化する時間との関係から、境界位置θ０、θ１、θ２、θ３を測定すれば良い。
【００７８】
次いで、各カラーフィルタ２０ａ、２０ｂ、２０ｃの分光特性、例えば透過率を測定し、各カラーフィルタ２０ａ、２０ｂ、２０ｃの分光特性に応じて、画像データの各色成分を色変換するための変換係数を特定する。例えば、赤、青、緑色のカラーフィルタ２０ａ、２０ｂ、２０ｃ毎に透過率を測定し、測定した透過率と画像データの各色成分の変換係数との積の相対比が、白色画像を表示可能に設定された基準相対比となるように、変換係数を特定する。
【００７９】
次いでまた、カラーフィルタ２０ａ、２０ｂ、２０ｃの分光特性を測定し、画像データに係る画像の画質を補正するためのデータ、例えばガンマ値を特定する。
【００８０】
次いでまた、プラグ２３にコンピュータを接続し、前記境界位置θ０、θ１、θ２、θ３、前記変換係数、前記ガンマ値を有するデータを色分割機２の記憶部２２へ書き込む。
【００８１】
一方、色分割機２が嵌着される嵌着凹部１７ａを上面側に形成した略直方体の筐体１７に、白色光源１２、光変調部１３、制御部１０等を収容し、筐体の嵌着凹部１７ａに色分割機２のプラグ２３が接続されるレセプタクル１５を配設する。
【００８２】
最後に、図３に示すように、投射機１のレセプタクル１５と色分割機２のプラグ２３とが接続されるように、投射機１の嵌着凹部１７ａに色分割機２を嵌め入れて、プロジェクタを構成する。
【００８３】
なお、投射機１及び色分割機２を製作する順序は不問であり、投射機１と色分割機２とを別体で製作すれば足りる。また、色分割機２の各種特性を測定する順序も不問である。
【００８４】
このように構成されるプロジェクタにあっては、プロジェクタの製造工程で、色分割機２の特性に関するデータ、投射機１及び色分割機２の相互関係を確認して前記データを、投射機１に記憶させる作業は不要であり、投射機１と色分割機２とを別体で製作し、製作した投射機１と色分割機２とを単純に接続することにより、プロジェクタを効率的に製造することができる。
【００８５】
また、記憶部２２は、境界位置θ０、θ１、θ２、θ３を記憶しているため、カラーフィルタ２０ａ、２０ｂ、２０ｃに対するマーク２０ｄの位置、カラーフィルタ２０ａ、２０ｂ、２０ｃの扇角が、製造される色分割機２２の個体差によって異なる場合であっても、光変調部１３による光変調を制御することができる。なお、境界位置θ１、θ２、θ３は、色分割する光の色数、色分割する各色の時系列上での時間比、マーク２０ｄに対する前記カラーフィルタの位置を示すデータに対応している。
【００８６】
更に、色分割機２の記憶部２２は、画像データを色変換する変換係数を記憶しているため、カラーフィルタの分光特性が色分割機２により異なる場合であっても、光変調部１３による光変調を制御することができる。なお、カラーフィルタの分光特性に応じて、画像データを色変換する変換係数は、色分割される光の波長と強度との関係に関するデータに対応している。
【００８７】
更にまた、色分割機２の記憶部２２は、カラーフィルタ２０ａ、２０ｂ、２０ｃの分光特性に応じて、画像データの画像をガンマ補正するためのガンマ値を記憶しているため、制御部１０は、カラーフィルタ２０ａ、２０ｂ、２０ｃの分光特性に応じて、画像データの画像をガンマ補正することができ、より自然な階調を有する画像を表示することができる。なお、ガンマ値は、色分割される光の波長と強度との関係に応じて、画像データに係る画像の画質を補正するための補正データに対応している。
【００８８】
更にまた、投射機１と色分割機２とは、プラグ２３及びレセプタクル１５により着脱自在に接続されているため、投射機１に接続されている色分割機２を、他の色分割機２に交換することができる。
【００８９】
なお、ＮＴＳＣ、ＰＡＬ又はＳＥＣＡＭ等の規格に応じて、モータの回転数を制御するためのデータ、例えば、ステッピングモータのステップ角、又はモータに印加する電圧とモータの回転数との関係を、色分割部の特性に関するデータとして色分割機の記憶部に記憶させ、モータを駆動させる際、制御部が前記データをレセプタクル及びプラグを介して読み出し、読み出したデータに基づいてモータの回転数を制御するように構成しても良い。この場合、モータの仕様が色分割機によって異なる場合であっても、制御部は、モータの回転数を制御することができる。
【００９０】
また、本実施の形態に係るプロジェクタの光変調部は、ＤＭＤを備えているが、画像データに基づいて画像を表示することができる液晶パネルを備え、色分割された光が液晶パネルを透過するように構成した光変調部を用いても良い。
【００９１】
更に、記憶部は、画質を補正するためのデータとしてガンマ値を記憶しているが、これに限らず、カラーフィルタの分光特性に応じて、画像の色相、彩度を調整するためのデータであっても良い。
【００９２】
更にまた、赤色、緑色、及び青色のカラーフィルタを３等配したカラーホイールを備える色分割機２を説明したが、これに限らず、赤色、緑色、及び青色のカラーフィルタと、白色光を透過する扇状の透光部を４等配したカラーホイールを備える色分割機２を採用しても良い。白色光を透過する透光部を配した場合、透光部を備えない色分割機に比べて、投射されて表示される画像はより明るくなる。
【００９３】
更にまた、赤色、緑色、青色、赤色、緑色、青色のカラーフィルタを６等配したカラーホイールを備える色分割機を採用しても良い。
【００９４】
更にまた、記憶部は、ＥＰＲＯＭ又はＰＲＯＭ以外の記憶手段、例えばＥＥＰＲＯＭ、ＲＯＭ等を用いて構成しても良い。
【００９５】
更にまた、投射部と色分割部とを分離可能に構成してあるが、接続後は投射部と色分割部とが分離しないように構成しても良い。
【００９６】
更にまた、ＳＶＧＡ規格に対応したＤＭＤを備える光変調部に限らず、ＶＧＡ、ＳＸＧＡ＋の規格に対応するように微小可動ミラーを配したＤＭＤを光変調部に備えても良い。
【００９７】
（実施の形態２）
実施の形態２に係るプロジェクタの色分割機２は、Ｎ枚のカラーフィルタ、即ち第１のカラーフィルタ乃至第Ｎのカラーフィルタを周方向に順に等配したカラーホイールを備えている。但し、Ｎは自然数である。
【００９８】
前記カラーホイールを備える色分割機２の記憶部２２は、実施の形態１と同様に、第Ｎのカラーフィルタと第１のカラーフィルタとの境界部分の第１カラーフィルタ寄りの境界位置θ１を記憶している。同様に、記憶部２２は、カラーフィルタが隣り合う境界部分の反時計周り寄りの境界位置θ２、θ３、・・・、θＮを記憶している。また、記憶部２２は、第１のカラーフィルタと第Ｎのカラーフィルタとの境界部分の第Ｎのカラーフィルタ寄りの境界位置θ０を記憶している。
【００９９】
図８は、実施の形態２に係るプロジェクタが備える制御部１０の、光変調に係るサブルーチンの処理手順を示すフローチャートである。制御部１０は、図５に示す光変調及び投射に関する処理を実行し、ステップＳ８にて光変調に係るサブルーチンを呼び出した場合、タイマーの計時結果を検出し（ステップＳ１８１）、変数ｉに１を設定する（ステップＳ１８２）。変数ｉは、自然数であり、カラーホイールに等配された第ｉのカラーフィルタを示す数である。
【０１００】
次いで、制御部１０は、タイマーがＴｉ秒を計時しているか否かを判定する（ステップＳ１８３）。Ｔｉは、第ｉのカラーフィルタを透過した光が光変調部１３へ出射され始める時間であり、Ｔｉは、（θｉ／３６０）／６０で表される。
【０１０１】
タイマーがＴｉ秒を計時したと判定した場合（ステップＳ１８３：ＹＥＳ）、制御部１０は、第ｉのカラーフィルタの色に対応する画像データの信号を光変調部１３へ出力する（ステップＳ１８４）。
【０１０２】
ステップＳ１８４の処理を終えた場合、又はステップＳ１８３においてタイマーがＴｉ秒を計時していないと判定した場合（ステップＳ１８３：ＮＯ）、制御部１０は、変数ｉがＮ未満であるか否かを判定する（ステップＳ１８５）。Ｎは、カラーホイールが備えるカラーフィルタの数であり、境界位置θｉを示すデータの数から特定することができる。
【０１０３】
変数ｉがＮ未満であると判定した場合（ステップＳ１８５：ＹＥＳ）、制御部１０は、変数ｉに１を加算し（ステップＳ１８６）、処理をステップＳ１８３へ戻す。
【０１０４】
変数ｉがＮ未満でないと判定した場合（ステップＳ１８５：ＮＯ）、制御部１０は、光変調に係るサブルーチンの処理を終える。
【０１０５】
色分割機２が備えるカラーフィルタ、記憶部２２が記憶しているデータ、及び制御部１０の処理手順以外の構成は、実施の形態１と同様であるため、同様な箇所には同様の符号を付してその詳細な説明を省略する。
【０１０６】
このように構成されるプロジェクタにあっては、カラーホイールが備えるカラーフィルタの数が、色分割機２の仕様によって異なる場合であっても、色分割機２の仕様に応じて、光変調部１３の光変調を制御することができる。
【０１０７】
例えば、赤色、緑色、及び青色の３枚のカラーフィルタが３等配されたカラーホイールを備える色分割機２を、赤色、緑色、青色、及び暗緑色のカラーフィルタが４等配されたカラーホイールを備える色分割機２に交換する場合であっても、カラーフィルタの色数、分光特性に応じて、光変調を制御することができる。
【０１０８】
なお、実施の形態２にあっては、カラーフィルタの色数を、各カラーフィルタの境界位置θｉの数から特定するようにしてあるが、これに限らず、色分割機２の記憶部２２に、カラーフィルタの色数を記憶させ、投射部の制御手段は、記憶部２２から前記色数を読み出してカラーフィルタの色数を特定するように構成しても良い。
【０１０９】
（実施の形態３）
実施の形態３に係るプロジェクタ装置の色分割機２は、図４に示すカラーホイール２０を備えており、記憶部２２は、カラーホイール２０に配された各カラーフィルタ２０ａ、２０ｂ、２０ｃの扇角、つまり周方向の角度に応じて、ＲＧＢの色成分の階調値を補正するためのデータを、色分割部の特性に関するデータとして記憶している。記憶部２２は、例えば、各カラーフィルタ２０ａ、２０ｂ、２０ｃの周方向の角度比ｊ、ｋ、ｌを示すデータを記憶している。但し、ｊ、ｋ、ｌは、１以上であり、ｊ、ｋ、ｌの少なくとも一つが１である。
【０１１０】
制御部１０は、図５と同様の処理を実行して、記憶部２２から角度比ｊ、ｋ、ｌを読み出し、読み出した角度比ｊ、ｋ、ｌをＲＡＭに記憶させる。そして、制御部１０は、ステップＳ４にて画像データの色成分を色変換した後、ＲＧＢの色成分を夫々角度比ｊ、ｋ、ｌで除して、色成分の階調値を補正する。
【０１１１】
記憶部２２が記憶している角度比ｊ、ｋ、ｌのデータ、及び制御部１０の処理内容以外の構成は、実施の形態１と同様であるため、同様な箇所には同様の符号を付してその詳細な説明を省略する。
【０１１２】
このように構成されるプロジェクタにあっては、各カラーフィルタの周方向の角度比が色分割機２の個体差によって異なる場合、つまり、色分割した光の時間比、即ち光の強度がばらつきを有する場合であっても、各色の時間比、つまり角度比ｊ、ｋ、ｌに応じて、色成分の階調値を補正するため、色分割機の個体差に関わらず、一定の画質を有する画像を投射することができる。
【０１１３】
なお、角度比ｊ、ｋ、ｌは、カラーフィルタの角度比に応じて、画像データを補正するためのデータの一例であり、実質的に同様のデータを用いて、画像データを補正するように構成しても良い。
【図面の簡単な説明】
【０１１４】
【図１】実施の形態１に係るプロジェクタのブロック図である。
【図２】プロジェクタの略示分解斜視図である。
【図３】プロジェクタの略示斜視図である。
【図４】白色光源側から見たカラーホイールの略示正面図である。
【図５】光変調及び投射に係る制御部の処理手順を示すフローチャートである。
【図６】光変調に係るサブルーチンの処理手順を示すフローチャートである。
【図７】検出部が制御部へ出力する信号の時間変化と、色分割機が色分割する光の色の時間変化との関係を示すタイミングチャートである。
【図８】実施の形態２に係るプロジェクタが備える制御部の、光変調に係るサブルーチンの処理手順を示すフローチャートである。
【符号の説明】
【０１１５】
１  投射機
２  色分割機
１０  制御部
１１  入力部
１２  白色光源
１３  光変調部
１４  投射光学系
１５  レセプタクル
１６  電源スイッチ
２０  カラーホイール
２０ｄ  マーク
２１  モータ
２２  記憶部
２３  プラグ
２４  検出部
【図１】
2006203366.tif 000003
【図２】
2006203366.tif 000004
【図３】
2006203366.tif 000005
【図４】
2006203366.tif 000006
【図５】
2006203366.tif 000007
【図６】
2006203366.tif 000008
【図７】
2006203366.tif 000009
【図８】
2006203366.tif 000010